【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるポリシおよび課金制御のための方法であって、前記方法は、
デバイス間データを備える構成データを少なくとも１つのモバイルエンティティに送信することと、
デバイス間通信に関連付けられたアカウンティングレポートを前記少なくとも１つのモバイルエンティティから受信することと、
前記少なくとも１つのモバイルエンティティから受信された前記アカウンティングレポートに基づいて、課金レポートを課金機能エンティティに送信することと、
前記少なくとも１つのモバイルエンティティから受信された前記アカウンティングレポートに少なくとも基づいて、ポリシ制御および実施をポリシ制御機能エンティティにおいて実行することと、
を備える、方法。
【請求項２】
前記デバイス間データは、前記少なくとも１つのモバイルエンティティが、別のデバイス間使用可能なモバイルエンティティを発見することを許可されるか、または前記別のデバイス間使用可能なモバイルエンティティによって発見可能であるかの指示を備える、請求項１に記載の方法。
【請求項３】
デバイス間データは、前記少なくとも１つのモバイルエンティティのための許容可能な数の表現の指示を備える、請求項１に記載の方法。
【請求項４】
前記デバイス間データは、特定のアプリケーションに対応するデータを備え、前記方法は、
各アプリケーションについての使用またはイベントの指示を前記少なくとも１つのモバイルエンティティから受信することをさらに備え、ここにおいて、前記ポリシ制御および実施を実行することはさらに、前記受信する指示に基づく、
請求項１に記載の方法。
【請求項５】
前記ポリシ制御および実施は、ネットワークアクセス、リソース、またはＱｏＳ制御を備える、請求項１に記載の方法。
【請求項６】
前記少なくとも１つのモバイルエンティティのポリシのためのリクエストをポリシおよびルール課金機能に送信することと、
前記リクエストに基づいて、前記ポリシおよびルール課金機能から前記ポリシを受信することと、ここにおいて、前記構成データは、前記受信されたポリシに基づく、
をさらに備える、請求項１に記載の方法。
【請求項７】
前記少なくとも１つのモバイルエンティティからプロビジョニングクエリを受信することをさらに備え、ここにおいて、前記構成データを送信することは、前記プロビジョニングクエリに応答する、請求項１に記載の方法。
【請求項８】
ポリシ更新トリガを検出することをさらに備え、ここにおいて、構成データを送信することは、前記ポリシ更新トリガを検出することに応答する、請求項１に記載の方法。
【請求項９】
前記少なくとも１つのモバイルエンティティとの、データベアラを備える接続を確立することをさらに備え、ここにおいて、前記ポリシ制御および実施を実行することは、前記データベアラを介して実行され、前記少なくとも１つのモバイルエンティティは、前記データベアラがアクティブである間、デバイス間発見および通信のためにイネーブルにされる、請求項１に記載の方法。
【請求項１０】
前記アカウンティングレポートは、データベアラを備える接続を介して受信される、請求項１に記載の方法。
【請求項１１】
前記構成データを送信することは、小さいデータインターフェースを介して送信することを備え、ここにおいて、前記アカウンティングレポートを受信することは、小さいデータ干渉を介して受信することを備える、請求項１に記載の方法。
【請求項１２】
サードパーティのアプリケーションプロバイダで認証することをさらに備える、請求項１に記載の方法。
【請求項１３】
ワイヤレス通信システムにおけるポリシおよび課金制御のための装置であって、前記装置は、
デバイス間データを備える構成データを少なくとも１つのモバイルエンティティに送信するための手段と、
デバイス間通信に関連付けられたアカウンティングレポートを前記少なくとも１つのモバイルエンティティから受信するための手段と、
前記少なくとも１つのモバイルエンティティから受信された前記アカウンティングレポートに基づいて、課金レポートを課金機能エンティティに送信するための手段と、
前記少なくとも１つのモバイルエンティティから受信された前記アカウンティングレポートに少なくとも基づいて、ポリシ制御および実施を実行するための手段と、
を備える、装置。
【請求項１４】
デバイス間データを備える構成データを少なくとも１つのモバイルエンティティに送信するための前記手段と、デバイス間通信に関連付けられたアカウンティングレポートを前記少なくとも１つのモバイルエンティティから受信するための前記手段と、課金レポートを課金機能エンティティに送信するための前記手段と、はトランシーバによって提供され、ポリシ制御および実施を実行するための前記手段は、少なくとも１つのプロセッサと、データを記憶するための前記少なくとも１つのプロセッサに結合されたメモリと、によって提供される、
請求高１３に記載の装置。
【請求項１５】
請求項１乃至１２のうちの１項の前記方法のすべてのステップを実行するためのコンピュータ実行可能なプログラム命令を備える、コンピュータプログラム。
【手続補正２】
【補正対象書類名】明細書
【補正対象項目名】０１１３
【補正方法】変更
【補正の内容】
【０１１３】
[00136]  上記で説明されていることは、請求項に記載された主題の態様の例を含む。請求項に記載された主題を開示する目的のために、コンポーネントまたは方法論の、考えられる全ての組み合わせを説明することは出来ないが、当業者であれば、多くのさらなる組み合わせおよび開示された主題の置き換えが可能であることを理解するだろう。従って、開示された主題は、添付された請求項の精神および範囲内に含まれる、全てのこのような変更、修正、および変化を包含することが意図される。さらに、「含む」、「有する」、または「有している」という用語は、詳細な説明または請求項のいずれかで使用される範囲で、「備える」ことが請求項内で従来のワードとして用いられるときに解釈される場合、このような用語は、「備える」という用語と同様の方法で包括的であることが意図される。
以下に、本願出願の当初の特許請求の範囲に記載された発明を付記する。
［Ｃ１］ ワイヤレス通信システムにおけるポリシおよび課金制御のための方法であって、前記方法は、
デバイス間データを備える構成データを少なくとも１つのモバイルエンティティに送信することと、
デバイス間通信に関連付けられたアカウンティングレポートを前記少なくとも１つのモバイルエンティティから受信することと、
前記少なくとも１つのモバイルエンティティから受信された前記アカウンティングレポートに基づいて、課金レポートを課金機能エンティティに送信することと、
前記少なくとも１つのモバイルエンティティから受信された前記アカウンティングレポートに少なくとも基づいて、ポリシ制御および実施をポリシ制御機能エンティティにおいて実行することと、
を備える、方法。
［Ｃ２］ 前記デバイス間データは、前記少なくとも１つのモバイルエンティティが、別のデバイス間使用可能なモバイルエンティティを発見することを許可されるか、または前記別のデバイス間使用可能なモバイルエンティティによって発見可能であるかの指示を備える、Ｃ１に記載の方法。
［Ｃ３］ デバイス間データは、前記少なくとも１つのモバイルエンティティのための許容可能な数の表現の指示を備える、Ｃ１に記載の方法。
［Ｃ４］ 前記デバイス間データは、特定のアプリケーションに対応するデータを備える、Ｃ１に記載の方法。
［Ｃ５］ 前記ポリシ制御および実施は、ネットワークアクセス、リソース、またはＱｏＳ制御を備える、Ｃ１に記載の方法。
［Ｃ６］ 前記少なくとも１つのモバイルエンティティのポリシのためのリクエストをポリシおよびルール課金機能に送信することと、
前記リクエストに基づいて、前記ポリシおよびルール課金機能から前記ポリシを受信することと、ここにおいて、前記構成データは、前記受信されたポリシに基づく、
をさらに備える、Ｃ１に記載の方法。
［Ｃ７］ （i）アクティブ化またはデアクティブ化、（ii）開始または終了、（iii）接続継続期間または転送されたデータの量、（iv）サービス品質（ＱｏＳ）に関連付けられたレベルまたはリソース、（v）オペレーション間通信、または（vi）前記少なくとも１つのモバイルエンティティに関連付けられたオペレータ間シグナリング、のうちの少なくとも１つの指示を受信することをさらに備える、Ｃ１に記載の方法。
［Ｃ８］ 各アプリケーションについての使用またはイベントの指示を前記少なくとも１つのモバイルエンティティから受信することをさらに備え、ここにおいて、前記ポリシ制御および実施を実行することはさらに、前記受信する指示に基づく、Ｃ４に記載の方法。
［Ｃ９］ 前記少なくとも１つのモバイルエンティティからプロビジョニングクエリを受信することをさらに備え、ここにおいて、前記構成データを送信することは、前記プロビジョニングクエリに応答する、Ｃ１に記載の方法。
［Ｃ１０］ ポリシ更新トリガを検出することをさらに備え、ここにおいて、構成データを送信することは、前記ポリシ更新トリガを検出することに応答する、Ｃ１に記載の方法。
［Ｃ１１］ 終了指示を検出することに応答して、前記少なくとも１つのモバイルエンティティのためのセッション終了を開始することをさらに備える、Ｃ１に記載の方法。
［Ｃ１２］ 前記少なくとも１つのモバイルエンティティとの、データベアラを備える接続を確立することをさらに備え、ここにおいて、前記ポリシ制御および実施を実行することは、前記データベアラを介して実行される、Ｃ１に記載の方法。
［Ｃ１３］ 前記少なくとも１つのモバイルエンティティは、前記データベアラがアクティブである間、デバイス間発見および通信のためにイネーブルにされる、Ｃ１２に記載の方法。
［Ｃ１４］ 終了指示を検出することに応答して、前記接続を終了することをさらに備える、Ｃ１２に記載の方法。
［Ｃ１５］ 前記アカウンティングレポートは、データベアラを備える接続を介して受信される、Ｃ１に記載の方法。
［Ｃ１６］ 前記構成データを送信することは、小さいデータインターフェースを介して送信することを備え、ここにおいて、前記アカウンティングレポートを受信することは、小さいデータ干渉を介して受信することを備える、Ｃ１に記載の方法。
［Ｃ１７］ セッション終了を開始することは、小さいデータインターフェースを介してセッション終了を開始することを備える、Ｃ１１に記載の方法。
［Ｃ１８］ サードパーティのアプリケーションプロバイダで認証することをさらに備える、Ｃ１に記載の方法。
［Ｃ１９］ ワイヤレス通信システムにおけるポリシおよび課金制御のための装置であって、前記装置は、
デバイス間データを備える構成データを少なくとも１つのモバイルエンティティに送信することと、
デバイス間通信に関連付けられたアカウンティングレポートを前記少なくとも１つのモバイルエンティティから受信することと、
前記少なくとも１つのモバイルエンティティから受信された前記アカウンティングレポートに基づいて、課金レポートを課金機能エンティティに送信することと、
を行うように構成された、少なくとも１つのトランシーバと、
前記少なくとも１つのモバイルエンティティから受信された前記アカウンティングレポートに少なくとも基づいて、ポリシ制御および実施を実行することと、
を行うように構成された、少なくとも１つのプロセッサと、
データを記憶するために前記少なくとも１つのプロセッサに結合されたメモリと、
を備える、装置。
［Ｃ２０］ 前記トランシーバはさらに、
前記少なくとも１つのモバイルエンティティのポリシのためのリクエストをポリシおよびルール課金機能に送信することと、
前記リクエストに基づいて、前記ポリシおよびルール課金機能から前記ポリシを受信することと、ここにおいて、前記構成データは、前記受信されたポリシに基づく、
を行うように構成される、Ｃ１９に記載の装置。
［Ｃ２１］ 前記トランシーバはさらに、
（i）アクティブ化またはデアクティブ化、（ii）開始または終了、（iii）接続継続期間または転送されたデータの量、（iv）サービス品質（ＱｏＳ）に関連付けられたレベルまたはリソース、（v）オペレーション間通信、または（vi）前記少なくとも１つのモバイルエンティティに関連付けられたオペレータ間シグナリング、のうちの少なくとも１つの指示を受信すること
を行うように構成される、Ｃ１９に記載の装置。
［Ｃ２２］ 前記プロセッサは、
前記少なくとも１つのモバイルエンティティとの、データベアラを備える接続を確立すること
を行うようにさらに構成され、
ここにおいて、前記ポリシ制御および実施を実行することは、前記データベアラを介して実行される、Ｃ１９に記載の装置。
［Ｃ２３］ 前記構成データを送信することは、小さいデータインターフェースを介して送信することを備え、ここにおいて、前記アカウンティングレポートを受信することは、小さいデータ干渉 を介して受信することを備える、Ｃ１９に記載の装置。
［Ｃ２４］ ワイヤレス通信システムにおけるポリシおよび課金制御のための装置であって、前記装置は、
デバイス間データを備える構成データを少なくとも１つのモバイルエンティティに送信するための手段と、
デバイス間通信に関連付けられたアカウンティングレポートを前記少なくとも１つのモバイルエンティティから受信するための手段と、
前記少なくとも１つのモバイルエンティティから受信された前記アカウンティングレポートに基づいて、課金レポートを課金機能エンティティに送信するための手段と、
前記少なくとも１つのモバイルエンティティから受信された前記アカウンティングレポートに少なくとも基づいて、ポリシ制御および実施を実行するための手段と、
を備える、装置。
［Ｃ２５］ 前記少なくとも１つのモバイルエンティティのポリシのためのリクエストをポリシおよびルール課金機能に送信するための手段と、
前記リクエストに基づいて、前記ポリシおよびルール課金機能から前記ポリシを受信するための手段と、ここにおいて、前記構成データは、前記受信されたポリシに基づく、
をさらに備える、Ｃ２４に記載の装置。
［Ｃ２６］ （i）アクティブ化またはデアクティブ化、（ii）開始または終了、（iii）転送されたデータの接続継続期間または数量、（iv）サービス品質（ＱｏＳ）に関連付けられたレベルまたはリソース、（v）オペレーション間通信、または（vi）前記少なくとも１つのモバイルエンティティに関連付けられたオペレータ間シグナリング、のうちの少なくとも１つの指示を受信するための手段
を備える、Ｃ２４に記載の装置。
［Ｃ２７］ 前記少なくとも１つのモバイルエンティティとの、データベアラを備える接続を確立するための手段
をさらに備え、ここにおいて、前記ポリシ制御および実施を実行することは、前記データベアラを介して実行される、Ｃ２４に記載の装置。
［Ｃ２８］ 前記構成データを送信するための前記手段は、小さいデータインターフェースを介して送信するようにさらに構成され、ここにおいて、前記アカウンティングレポートを受信するための前記手段は、小さいデータ干渉 を介して受信するようにさらに構成される、Ｃ２４に記載の装置。
［Ｃ２９］ コンピュータ読取可能な媒体を備えるコンピュータプログラム製品であって、前記コンピュータ読取可能な媒体は、少なくとも１つのコンピュータに、
デバイス間データを備える構成データを少なくとも１つのモバイルエンティティに送信することと、
デバイス間通信に関連付けられたアカウンティングレポートを前記少なくとも１つのモバイルエンティティから受信することと、
前記少なくとも１つのモバイルエンティティから受信された前記アカウンティングレポートに基づいて、課金レポートを課金機能エンティティに送信することと、
前記少なくとも１つのモバイルエンティティから受信された前記アカウンティングレポートに少なくとも基づいて、ポリシ制御および実施を実行することと、
を行わせるためのコードを備える、コンピュータプログラム製品。